(57)【要約】      （修正有）【課題】キャビネットの台輪を開閉可能とすることで、台輪より後方で左右の側板の間にある地板、或いは、最下部引き出しより下の空間を使える様にしたキャビネットを提供する。【解決手段】キャビネットの左右側板２の間にあり、引き出し、地板の下にある空間の前に取り付けられた台輪１をキャッチ４、ジョイナー等により脱着可能とすることにより台輪より後方の空間を収納スペースとして活用可能とする。又はキャビネットの左右側板の間にあり、引き出し３、地板の下にある空間の前に取り付けられた台輪をヒンジ或いは回転ピンにより開閉可能とすることにより台輪より後方の空間を収納スペースとして活用可能とする開き扉タイプ台輪としても良い。さらに、キャビネットの左右側板の間にあり、引き出し、地板の下にある空間の前に取り付けられた台輪の後方にプレートを付属させ、台輪と共にプレートをスライド、引き出すことにより、台輪より後方の空間を収納スペースとして活用可能としても良い。【選択図】図２
0003163067.tif 000002
【実用新案登録請求の範囲】
【請求項１】
キャビネットの左右側板の間にあり、最下部の引き出し、地板、等の下にある空間の前に取り付けられた台輪をキャッチ、ジョイナー等により脱着可能とし、取り外した状態で台輪より後方の空間を収納スペースとして活用可能とした、脱着可能台輪を有するキャビネット。
【請求項２】
キャビネットの左右側板の間にあり、最下部の引き出し、地板、等の下にある空間の前に取り付けられた台輪をヒンジ或いは回転ピンにより開閉可能とし、開いた状態で台輪より後方の空間を収納スペースとして活用可能とした、開き扉タイプ台輪を有するキャビネット。
【請求項３】
キャビネットの左右側板の間にあり、最下部の引き出し、地板、等の下にある空間の前に取り付けられた台輪の後方にプレートを付属させ、台輪と共にプレートを引き出すことにより、台輪より後方の空間を収納スペースとして活用、しかも収納物を容易に取り出し、収納可能とする、プレート付属台輪を有するキャビネット。
【考案の詳細な説明】
【技術分野】
【０００１】  本考案はキャビネットの台輪後方の空間活用収納に関するものである。
【背景技術】
【０００２】  従来の多くのキャビネットの台輪は固定式であり、台輪より後方であり、最下部の引き出し、地板より下の空間は収納として使用不可能である。
【先行技術文献】
【非特許文献１】
【０００３】「デイノス  リビングカタログ２０１０」、株式会社デイノス、Ｐ１４０〜１８５
【考案の概要】
【考案が解決しようとする課題】
【０００４】  従来のキャビネットの台輪は本体に固定式のため使用できなかった台輪後方の空間の有効活用を課題とする。
【課題を解決するための手段】
【０００５】  （１）キャビネットの左右側板の間にあり、引き出し、地板の下にある空間の前に取り付けられた台輪をキャッチ、ジョイナー等により脱着可能とし、取り外した状態で台輪より後方の空間を収納スペースとして活用可能とした、脱着可能台輪を有するキャビネット、又は（２）台輪をヒンジ或いは回転ピンにより開閉可能とすることにより台輪より後方の空間を収納スペースとして活用可能とした、開き扉タイプ台輪を有するキャビネット、或いは（３）台輪の後方にプレートを付属させ台輪と共にプレートを引き出すことにより台輪より後方の空間を収納スペースとして活用可能とした、プレート付属台輪を有するキャビネットを提案することにより台輪後方空間の有効活用の課題を解決するものである。
【考案の効果】
【０００６】  上述のような方式により、例えば、ＴＶボードキャビネットに於いては煩雑な家電コンセントや配線コードの収納、又、洗面所の収納キャビネットにおいてはヘルスメーターや小物等、或いは、整理ダンスに於いては、隠し戸棚としても台輪後方のスペースが有効活用可能である。前述例の如く台輪後方の空間を収納スペースとして活用する場合、用途として非常に多種のキャビネットに応用活用可能である。
【図面の簡単な説明】
【０００７】
【図１】脱着可能台輪を有するキャビネットの外観参考例斜視図
【図２】図１の台輪を取り外した状態例の斜視図
【図３】開き扉タイプ台輪を有するキャビネットの外観参考例斜視図
【図４】図３の開き扉タイプの台輪を開いた状態例の斜視図
【図５】プレート付き台輪を引き出した状態例の参考斜視図
【考案を実施するための形態】
【０００８】  キャビネットの左右側板の間にあり、引き出し、地板の下にある空間の前に取り付けられた台輪をキャッチ、ジョイナー等により脱着可能とする、又は台輪をヒンジ或いは回転ピンにより開き扉タイプとし、開閉可能とする、或いは台輪の後方にプレートを付属させ、台輪と共にプレートを引き出すことにより、台輪より後方の空間を収納スペースとして活用可能とする形態により考案を実施するものである。以下図１〜図５を参照して本考案を実施するための最良の形態を説明する。
【実施例】
【０００９】  図１は請求項１に該当する、脱着可能な台輪１を有するキャビネットの参考外観図である。左右の側板２の間で、引き出し３、或いは地板が付属する場合は地板の下部で、台輪１の後方にある空間を活用するためのキャビネット参考例の説明図である。尚、台輪１の取り付け位置は本図１の如く側板２の前取り付け、或いは図３の様に側板２に挟みこむ取り付け方法があり限定するものではない。以下キャビネットの種類、形状、サイズ等は図示に限定しない。【００１０】  図２は請求項１に該当する図１の台輪１をキャッチ４により脱着可能としたものを、取り外した状態の図である。図示の如く引き出し３の下の空間を台輪１の取り外しにより、混乱し整理の難しいコンセント、電気コード５等の収納整理が安易に可能となると同時に隠し戸棚としても使用可能である。尚、前板の取り付け方法のキャッチ４はダボ、マグネット、ローラーキャッチ、ネジ等によるものであり、多種多様で限定するものではない。台輪を安易に取り外すため取っ手が付くこともある。【００１１】  図３は請求項２に該当する、台輪１をヒンジ、或いは回転ピン等によりオープン可能としたキャビネットの外観参考図である。尚、台輪１の開き方向は左右開き、両開き、下への開き（ドロップリッド式）、上への開き（フラップ式）等、多様であり、限定するものではない。容易にオープン可能とするため取っ手７が付属する場合もある。【００１２】  図４は請求項２に該当する図３の台輪１をヒンジ、或いは回転ピン等により取り付けられた台輪をオープンにした状態を説明する斜視図である。開き扉３、或いは引違い戸の場合は地板６が付く。底板８が付属しない場合があり底板の有無は限定しない。開き扉タイプの台輪を保持するためのキャッチ４の有無、取り付け位置，種類、方式等も限定しない。【００１３】  図５は請求項３に該当する、台輪１にプレート９を付属させ、容易に収納物を取り出しやすくしたキャビネットの参考斜視図である。プレート９に落下防止ガード板１１、或いは落下防止ガードバー１２が付属する場合も本請求項に含まれる。ガードの形状、サイズ、及び、プレートの形状、材質はパネル、網、トレー、等多種多様であり限定するものではない。プレート９を引き出しやすくするガイド、レール、掘り込み溝１０、或いはキャスターが付属する場合もある。
【符号の説明】
【００１４】    １  台輪
２  側板
３  最下部引き出し、又は扉
４  キャッチ
５  コンセント、電気コード
６  地板
７  引き手
８  底板
９  プレート
１０  ガイド、レール、又は掘り込み溝
１１  落下防止ガード板
１２  落下防止ガードバー
【図１】
0003163067.tif 000003
【図２】
0003163067.tif 000004
【図３】
0003163067.tif 000005
【図４】
0003163067.tif 000006
【図５】
0003163067.tif 000007